(57)【要約】【課題】雨水の排水量を十分に確保しながらも竪樋内へのゴミの流入を阻止し、脱着性を高めて施工やゴミ掃除等の労力を軽減し、確実に取付けることのできる汎用性の高い樋用ゴミ除けカバーとその取付構造を提供する。【解決手段】樋用ゴミ除けカバー１は、四周面と上面がゴミの通過を阻止し得る格子状に形成されており、その下面は開口されて樋の落し口９ａよりも大きい開口面積とする。このゴミ除けカバー１を樋の落し口９ａをすっぽりと覆うように取付けると、格子状の四周面と上面によってゴミが落し口９ａから堅樋１２へ流入するのを阻止することができる。このような下端開口の大きいゴミ除けカバー１は、従来のゴミ除け部材より大型であるため、一部の格子目４，７がゴミで閉塞されたとしても、十分な排水量を確保することができる。また、大型で排水量が多いので、格子目４，７を小さくして竪樋１２へのゴミの流入をより確実に阻止でき、特にサイホン式の雨水排水装置のゴミ除けカバーとして最適である。【選択図】図１
2005336747.tif 000002
【特許請求の範囲】
【請求項１】
樋の落し口を覆うゴミ除けカバーであって、その四周面と上面はゴミの通過を阻止し得る格子状に形成されており、その下面は開口されて上記落し口よりも大きい開口面積を有していることを特徴とする樋用ゴミ除けカバー。
【請求項２】
格子状の四周面の下部の格子目が補助桟によって分割されていることを特徴とする請求項１に記載の樋用ゴミ除けカバー。
【請求項３】
格子状の四周面の縦桟が中間の横桟より外側に突き出していることを特徴とする請求項１又は請求項２に記載の樋用ゴミ除けカバー。
【請求項４】
格子状の四周面の補助桟が中間の横桟より外側に突き出していることを特徴とする請求項２に記載の樋用ゴミ除けカバー。
【請求項５】
格子状の四周面の全開口面積が６０〜３００ｃｍ２、格子状の上面の全開口面積が２０〜６０ｃｍ２、格子状の四周面の縦桟の間隔が５〜１５ｍｍであることを特徴とする請求項１ないし請求項４のいずれかに記載の樋用ゴミ除けカバー。
【請求項６】
請求項１ないし請求項５のいずれかに記載の樋用ゴミ除けカバーを樋の落し口に被せて落し口を覆い、両端に係止部を有するカバー押さえ具を樋用ゴミ除けカバーに載置して、両端の係止部を樋の耳部に係止させ、樋用ゴミ除けカバーをカバー押さえ具で樋の底面に押圧固定したことを特徴とする樋用ゴミ除けカバーの取付構造。
【請求項７】
カバー押さえ具に、樋用ゴミ除けカバーの格子状の上面の格子目に対応する通水口を形成し、この通水口が上面の格子目に重なるようにカバー押さえ具を樋用ゴミ除けカバーに載置したことを特徴とする請求項６に記載の取付構造。
【請求項８】
カバー押さえ具の通水口の口縁から係合片を下向きに突設し、樋用ゴミ除けカバーの格子状の上面の隣り合う二本の桟に上記の係合片を係合させたことを特徴とする請求項７に記載の取付構造。
【請求項９】
請求項１ないし請求項５のいずれかに記載の樋用ゴミ除けカバーを樋の落し口に被せて落し口を覆い、その落し口の周囲に設けられた係合爪に該ゴミ除けカバーの下端の横桟を下方から係合させ、四周面の縦桟の相互間に係合爪を位置させて樋用ゴミ除けカバーを樋に固定したことを特徴とする樋用ゴミ除けカバーの取付構造。
【発明の詳細な説明】
【技術分野】
【０００１】
本発明は、雨水の排水量を十分に確保しつつ、竪樋内へのゴミの流入を阻止することのできる樋用ゴミ除けカバーと、その取付構造に関するものである。
【背景技術】
【０００２】
従来、家屋の軒樋に落ち葉などのゴミが飛来し、雨水によって落し口付近や竪樋内に運ばれて、腐葉土化等をして堆積し、これらがゴミ詰まりの原因となって雨水の排水を阻害するという問題があった。
【０００３】
これらの問題を解決するために、図１１に示すようなゴミ詰まりを防止するゴミ除け部材１００が軒樋の落し口に取付けられている。このゴミ除け部材１００は、雄型筒体部１０１の外周にフランジ部１０２を設けて、そのフランジ部から４本のフレーム１０３をドーム形に立設し、上端に円形の開口部１０４を設けたものである。このゴミ除け部材１００は、その雄型筒体部１０１を落し口の下側の雌型筒体部（不図示）に螺合することによって落し口に取付けられるようになっている。（特許文献１）
【０００４】
上記ゴミ除け部材１００は、落し口の下側の雌型筒体部に螺合することで強固に取付けられるため台風などで飛ばされる心配がない反面、次のような問題があった。
【０００５】
即ち、このゴミ除け部材１００は、落し口の下側の雌型筒体部に螺合する際に軒樋の内部で回転させることができなければならないため、構造上小型のものに限られており、具体的には、直径が６０ｍｍ程度、高さが３５ｍｍ程度、フレーム１０３、１０３の間隔が３０ｍｍ程度の小さいゴミ除け部材が多く使用されていた。このため、ゴミ除け部材全体が落ち葉などのゴミで覆われると、流路がふさがれて排水し難くなり、大雨の際など、軒樋から雨水が溢れ出てしまうという問題があった。
【０００６】
また、竪樋内へのゴミの流入を阻止しようとしてフレーム１０３の相互間隔を狭めると、ゴミ除け部材１００の開口面積が更に小さくなって十分な排水量を確保できないため、フレーム１０３の相互間隔をこれ以上狭めることはできず、それ故、相当量のゴミが該ゴミ除け部材１００を通過して竪樋内へ流入し、ゴミ詰まりの原因になるという問題もあった。このようなゴミの通過し易いゴミ除け部材１００は、本出願人が既に提案したサイホン式の雨水排水装置、即ち、竪樋の落し口に直径の小さなサイホン管（竪樋）を接続して竪樋のサイホン作用により大量の雨水を排水する装置には不向きであり、あえてこの装置の落し口に上記のゴミ除け部材１００を取り付けると、細い竪樋がすぐにゴミ詰まりを起こし、雨水が軒樋から溢れ出すという問題があった。
【０００７】
更に、ゴミが詰まって掃除をする必要が生じたとき、上記のゴミ除け部材１００は取り外し作業や落し口に水密的に取付ける作業が煩雑になるという問題もあった。
【０００８】
一方、図１２に示すような落ち葉防止軒樋用補助材２００も使用されている。この落ち葉防止軒樋用補助材２００は、断面が略コの字状に形成され、コの字状の開口部を下側にして軒樋内部に装着されるものであって、上面には通水口２０１をもち、長手方向の端部には軒樋底部に向って伸びる櫛状のストッパー２０２を形成したものである（特許文献２参照）。この落ち葉防止軒樋用補助材２００は、軽量で取り外しが容易であるという長所を有する反面、次のような問題があった。
【０００９】
即ち、この落ち葉防止軒樋用補助材２００は軒樋を覆うようにして装着されるため、通水口２０１にゴミが詰まると、軒樋内に雨水が流入し難くなり、軒樋としての役目を果たさなくなるという問題があった。また、この補助材２００は軒樋への取付けが不安定であり、軒樋にピッタリと寸法が合わないと、強風によって補助材２００が吹き飛ばされる心配もあった。
【特許文献１】特開２００１−１５２６２７号公報
【特許文献２】登録実用新案第３０１３０５８号公報
【発明の開示】
【発明が解決しようとする課題】
【００１０】
本発明は、上記の事情に鑑みてなされたもので、雨水の排水量を十分に確保しながらも竪樋内へのゴミの流入を阻止し、脱着性を高めて施工やゴミ掃除等の労力を軽減し、しかも、確実に取付けることのできる汎用性の高い樋用ゴミ除けカバーとその取付構造を提供することを解決課題としている。
【課題を解決するための手段】
【００１１】
上記の課題を解決するために、本発明の樋用ゴミ除けカバーは、樋の落し口を覆うゴミ除けカバーであって、その四周面と上面がゴミの通過を阻止し得る格子状に形成されており、その下面は開口されて上記落し口よりも大きい開口面積を有していることを特徴とするものである。
【００１２】
本発明の樋用ゴミ除けカバーにおいては、格子状の四周面の下部の格子目が補助桟によって分割されたものが好ましく、格子状の四周面の縦桟が中間の横桟より外側に突き出していればより好ましい。また、格子状の四周面の補助桟が中間の横桟より外側に突き出したものも好ましい。特に格子状の四周面の全開口面積が６０〜３００ｃｍ２、格子状の上面の全開口面積が２０〜６０ｃｍ２、格子状の四周面の縦桟の間隔が５〜１５ｍｍであるゴミ除けカバーは極めて好ましい。
【００１３】
また、本発明の樋用ゴミ除けカバーの取付構造は、上記の樋用ゴミ除けカバーを樋の落し口に被せて落し口を覆い、両端に係止部を有するカバー押さえ具を樋用ゴミ除けカバーに載置して、両端の係止部を樋の耳部に係止させ、樋用ゴミ除けカバーをカバー押さえ具で樋の底面に押圧固定したことを特徴とするものである。
【００１４】
本発明の取付構造においては、カバー押さえ具に、樋用ゴミ除けカバーの格子状の上面の格子目に対応する通水口を形成し、この通水口が上面の格子目に重なるようにカバー押さえ具を樋用ゴミ除けカバーに載置することが好ましく、カバー押さえ具の通水口の口縁から係合片を下向きに突設し、樋用ゴミ除けカバーの格子状の上面の隣り合う二本の桟に上記の係合片を係合させた取付構造とするとより好ましい。
【００１５】
また、本発明のもう一つの取付構造は、上記の樋用ゴミ除けカバーを樋の落し口に被せて落し口を覆い、その落し口の周囲に設けられた係合爪に該ゴミ除けカバーの下端の横桟を下方から係合させ、四周面の縦桟の相互間に係合爪を位置させて樋用ゴミ除けカバーを樋に固定したことを特徴とするものである。
【発明の効果】
【００１６】
本発明の樋用ゴミ除けカバーは、その四周面と上面がゴミの通過を阻止し得る格子状に形成され、その下面が開口されて樋の落し口より大きい開口面積を有するため、このゴミ除けカバーを樋（軒樋）の落し口をすっぽりと覆うように被せて取付けると、格子状の四周面と上面によって落ち葉などのゴミが落し口から堅樋へ流入するのを阻止することができる。このように落し口を覆うように被せて取付ける下端開口の大きいゴミ除けカバーは、螺合させて取付ける従来のゴミ除け部材に比べると遥かに大型であるため、格子状の四周面や上面の格子目が全てゴミで閉塞されることがなく、一部の格子目がゴミで閉塞されたとしても、他の格子目を通じて十分な排水量を確保することができる。また、本発明のゴミ除けカバーのように大型で排水量の多いものは、格子目を小さくして竪樋へのゴミの流入をより確実に阻止できるので、特に、排水量が多く竪樋へのゴミの流入が致命的な問題となるサイホン式の雨水排水装置のゴミ除けカバーとして最適である。
【００１７】
また、上記の樋用ゴミ除けカバーにおいて、格子状の四周面の下部の格子目を補助桟によって分割したものは、大雨のときの雨水の排水量を十分に確保しつつ、ゴミの流入をより確実に阻止することができる。
【００１８】
更に、格子状の四周面の縦桟を中間の横桟より外側に突出させたものは、四周面がゴミで覆われた場合でも、突き出した縦桟と横桟とゴミとの間に隙間が生じ、この隙間から雨水が流入するので、排水を確保することができる。同様に、格子状の四周面の補助桟を中間の横桟より外側に突出させたものも、雨水の排水を確保することができる。
【００１９】
また、格子状の四周面の全開口面積を６０〜３００ｃｍ２、上面の全開口面積を２０〜６０ｃｍ２、縦桟の間隔を５〜１５ｍｍ程度にしたゴミ除けカバーは、全開口面積が従来のゴミ除け部材に比べて遥かに大きいので、大雨が降っても雨水を大量に排水することができ、且つ、竪樋内へのゴミの流入をより確実に阻止することができる。また、上記サイズのゴミ除けカバーは、現在使用されている種々の軒樋に取付けることができるので汎用性が高く、コストを低く抑えることもできる。
【００２０】
一方、本発明の樋用ゴミ除けカバーの取付構造は、従来のゴミ除け部材のように螺合して取付ける必要がなく、両端の係止部を樋（軒樋）の耳部に係止させたカバー押さえ具によってゴミ除けカバーを樋底面に押圧固定するだけで簡単にゴミ除けカバーを取付けることができ、両端の係止部の係止を解除してカバー押さえ具を外せば、簡単にゴミ除けカバーを取り除いて落し口から竪樋の掃除等を行うことができる。従って、ゴミ除けカバーの脱着作業や竪樋の掃除等に要する時間が短縮されると共に労力も軽減される。樋の耳部を被係止部とし、この耳部にカバー押さえ具の両端の係止部を係止させるので、樋内に被係止部を新たに設ける必要がなく、既存の耳部を利用してカバー押さえ具の両端の係止部を簡単且つ確実に係止させることができ、係止部が耳部から自然に外れる心配もない。
【００２１】
また、上記の取付構造において、カバー押さえ具に、樋用ゴミ除けカバーの格子状の上面の格子目に対応する通水口を形成し、この通水口が上面の格子目に重なるようにカバー押さえ具を樋用ゴミ除けカバーに載置したものは、雨水がカバー押さえ具の通水口からゴミ除けカバーの上面の格子目を通って流入できるので、ゴミ除けカバーの上面にカバー押さえ具を重ねていても、排水量が減少することはない。
【００２２】
更に、カバー押さえ具の通水口の口縁から係合片を下向きに突設し、樋用ゴミ除けカバーの格子状の上面の隣り合う二本の桟に上記の係合片を係合させた取付構造は、係合片と二本の桟との係合によって、ゴミ除けカバーとカバー押さえ具との相対的な位置ズレが防止されるため、カバー押さえ具によるゴミ除けカバーの押圧固定性を一層向上させることができる。
【００２３】
また、本発明のもう一つの取付構造は、ゴミ除けカバーを樋の落し口に被せて押さえるだけで極く簡単にワンタッチで取付けることができ、ゴミ除けカバーの下端の横桟がその落し口の周囲に設けられた係合爪に下方から係合しているので、ゴミ除けカバーが上方に外れることがなく、しかも、ゴミ除けカバーの縦桟の相互間に係合爪が位置しているため、ゴミ除けカバーが移動しようとしても係合爪が縦桟に係合して移動が阻止される。従って、大量の雨水が樋内を流れても、ゴミ除けカバーが流される心配はない。
【発明を実施するための最良の形態】
【００２４】
以下、図面を参照して本発明の具体的な実施形態を詳述する。
【００２５】
図１は本発明の一実施形態に係る樋用ゴミ除けカバーの斜視図、図２は本発明の樋用ゴミ除けカバーの取付構造を示す概略正面図、図３は同取付構造の斜視図、図４は同取付構造の断面図、図５は同取付構造に用いるカバー押さえ具の斜視図、図６は同取付構造のゴミ除けカバーにカバー押さえ具を載置したところを示す斜視図である。
【００２６】
図１に示す樋用ゴミ除けカバー１（以下、単にカバー１と記す）は、熱可塑性合成樹脂で台形状に一体成形されたものであって、その平面形状が長円形とされている。そして、このカバー１の四周面は、多数の縦桟２と３本の長円形環状の横桟３とで格子状に形成され、落ち葉などのゴミの通過を阻止し得る大きさの格子目４が上下二列に並んでいる。また、このカバー１の長円形の上面も、長手方向の桟５と多数の幅方向の桟６とで格子状に形成され、落ち葉などのゴミの通過を阻止し得る大きさの格子目７が幅方向に二列に並んでいる。尚、四周面の横桟３は４本以上形成してもよく、また、上面の長手方向の桟５を２本以上形成してもよい。
【００２７】
図１、図４に示すように、このカバー１の長円形の下面は全体に開口し、この下面開口部８は樋９（軒樋）の落し口９ａよりも遥かに大きい開口面積を有している。そのため、このカバー１を樋９の落し口９ａに被せると、落し口９ａがカバー１で取り囲まれてすっぽりと覆われるようになっている。
【００２８】
格子状の四周面の縦桟２と縦桟２の間隔は、５〜１５ｍｍ程度に設定することが好ましい。間隔が１５ｍｍより広くなると、落ち葉などのゴミが雨水と共にカバー１内部へ流入しやすくなり、逆に、５ｍｍより狭くなると、四周面の格子目４が小さくなって四周面の全開口面積が減少するため、カバー１内部への雨水の流入量が減少して排水性が低下するといった不都合を生じる。更に好ましい縦桟２の相互間隔は１０〜１３ｍｍであり、この実施形態では最も好ましい１２ｍｍの間隔に設定されている。
【００２９】
カバー１の大きさ（長さ、幅、高さ）は、汎用タイプの樋（軒樋）９の内部に納まる大きさであれば特に限定されないが、四周面の全開口面積については６０〜３００ｃｍ２程度に設定することが好ましく、また、上面の全開口面積については２０〜６０ｃｍ２程度に設定することが好ましい。四周面と上面の全開口面積が上記の範囲を下回ると、カバー１内部への雨水の流入量（換言すれば落し口９ａからの排水量）が大幅に減少して大雨のときに排水が不十分になるといった不都合を生じ、逆に、四周面と上面の全開口面積が上記の範囲を上回っても、それに見合った排水性の更なる向上を期待できず、カバー１が徒に大型化するだけである。従って、四周面と上面の全開口面積が上記の範囲となるように、カバー１の高さと長さと幅、縦桟２の本数と太さと間隔、横桟３の本数と太さと間隔、上面の長手方向の桟５の本数と太さと間隔、幅方向の桟６の本数と太さと間隔を適宜決定することが好ましい。
【００３０】
上記のカバー１を図４に示すように樋９の落し口９ａに被せて取付けると、樋９を流れる雨水と微小なゴミのみがカバー１内に流入して落し口９ａから竪樋１２を通って排水され、落ち葉などの大きいゴミはカバー１の格子状の四周面と上面によって通過が阻止されるので、竪樋１２のゴミ詰まりを防止することができる。しかも、このカバー１は、螺合させて取付ける従来のゴミ除け部材に比べると遥かに大型であって、格子状の四周面や上面の全開口面積が前述したように大きく、格子目が全てゴミで閉塞される心配が皆無に等しいものであるため、一部の格子目がゴミで閉塞されたとしても、他の格子目を通じて多量の雨水がカバー１内へ流入し、十分な排水量を確保することができる。
【００３１】
本発明の樋用ゴミ除けカバーの取付構造は、図２、図３，図４に示すように、上記のカバー１を樋（軒樋）９の落し口９ａに被せて落し口９ａを取り囲むようにすっぽりと覆い、合成樹脂製のカバー押さえ具１０でカバー１を樋９の底面９ｂに押圧固定したものである。
【００３２】
このカバー押さえ具１０は、図５に示すように、中央の水平な押さえ板１０ａと、その両側から斜め上方へ突き出す左右の傾斜板１０ｂ，１０ｃと、これらの傾斜板の先端からそれぞれ上方へ立ち上がる端板１０ｄ，１０ｅとを備えたものであって、このカバー押さえ具１０の両端、つまり端板１０ｄ，１０ｅの上端部には、凹形の係止部１０ｆとＬ形の係止部１０ｇが形成されている。そして、中央の押さえ板１０ａには、カバー１上面の格子目７に対応する三つの通水口１０ｈ（左右に並んだ二つの格子目７，７に対応する大きさの通水口）が形成されており、それぞれの通水口１０ｈの口縁の両端から係合片１０ｉ，１０ｉが下向きに突設されている。通水口１０ｈの数は二つ以下でも四つ以上でもよく、また、通水口１０ｈの大きさはカバー１上面の個々の格子目７に対応する大きさとしてもよい。
【００３３】
このようなカバー押さえ具１０をカバー１の上面に載置すると、図６に示すように、カバー押さえ具１０の通水口１０ｈがカバー１上面の格子目７，７に重なり、カバー押さえ具１０の係合片１０ｉ，１０ｉが格子目７，７に嵌まり込んでカバー１上面の隣り合う二本の桟６，６と係合するため、カバー１とカバー押さえ具１０との相対的な位置ズレを防止することが可能となる。
【００３４】
図２〜図４に示す取付構造では、樋９の落し口９ａに被せたカバー１の上にカバー押さえ具１０を載置して、上記のようにカバー１とカバー押さえ具１０との相対的な位置ズレを防止すると共に、樋９の両側壁上端から内側に突出する耳部９ｃ，９ｄを被係止部として、カバー押さえ具１０の両端の係止部１０ｆ，１０ｇを耳部９ｃ，９ｄに下方から係止させ、カバー押さえ具１０の中央の押さえ板１０ａでカバー１を樋９の底面９ｂに押圧固定して取付けている。このようにカバー押さえ具１０でカバー１を取付けると、カバー押さえ具１０の傾斜板１０ｂ，１０ｃがバネ板の役目をし、押さえ板１０ａによってカバー１を強く押圧するため、カバー１とカバー押さえ具１０との相対的な位置ズレが係合片１０ｉによって防止されていることと相俟って、カバー１を確実に固定することができる。
【００３５】
カバー１両端の係止部１０ｆ，１０ｇを係止させるための被係止部は、樋９の両側壁内面に新たに形成してもよいが、この実施形態のように耳部９ｃ，９ｄを被係止部として利用すれば、樋９の両側壁内面に新たな被係止部を形成する必要がなくなり、しかも、カバー押さえ具の両端の係止部１０ｆ，１０ｇを簡単且つ確実に係止させることができるので好ましい。
【００３６】
上記のような固定構造であると、従来のようにゴミ除け部材を螺合して取付ける必要がなくなり、カバー１を樋９の落し口９ａに被せてその上に載置したカバー押さえ具１０両端の係止部１０ｆ，１０ｇを樋９の耳部９ｃ，９ｄに係止させるだけで、簡単且つ確実にカバー１を樋９の底面９ｂに押圧固定して位置ズレなく取付けることができる。そして、耳部９ｃ，９ｄに対する係止部１０ｆ，１０ｇの係止を解除してカバー押さえ具１０を外せば、簡単にカバー１を取り除いて落し口９ａから竪樋１２の掃除等を行うことができる。従って、カバー１の脱着作業や竪樋１２の掃除等に要する時間が短縮されると共に労力も軽減されるので、メンテナンスが容易になる。また、カバー１の上面にカバー押さえ具１０を重ねていても、雨水がカバー押さえ具１０の通水口１０ｈからカバー１上面の格子目７を通って流入できるので、排水量が減少することもない。
【００３７】
なお、場合によっては従来のゴミ除け部材を落し口９ａに螺合して取付け、その上からカバー１を被せてカバー押さえ具１０で押圧固定してもよく、このようにするとゴミの侵入を二重に阻止できる利点がある。
【００３８】
図７は本発明の他の実施形態に係る樋用ゴミ除けカバーの斜視図である。
【００３９】
このカバー１は、四周面の縦桟２ａが中間の横桟３よりも外側に弓なりに突き出したものである。その他の構成は前述した図１のカバー１と同様であるから、図７において同一部分に同一符号を付し、説明を省略する。
【００４０】
このようなカバー１は、四周面が落ち葉などのゴミで覆われた場合でも、突き出した縦桟２ａと横桟３とゴミとの間に隙間が生じ、この隙間から雨水が流入するので、排水を確保できる利点がある。
【００４１】
図８は本発明の更に他の実施形態に係る樋用ゴミ除けカバーの斜視図である。
【００４２】
このカバー１は、四周面の下部のそれぞれの格子目４が縦の補助桟２ｂによって左右に二分割され、その補助桟２ｂが中間の横桟３より外側に弓なりに突き出したものである。なお、補助桟２ｂを横向きに形成して、格子目４を上下に二分割してもよい。このカバー１の他の構成は前述した図１のカバー１と同様であるから、図８において同一部分に同一符号を付し、説明を省略する。
【００４３】
このようなカバー１は、大雨のときの雨水の排水量を十分に確保しつつ、補助桟２ｂで二分割された格子目４によってゴミの侵入をより確実に阻止することができ、しかも補助桟２ｂが突き出しているため、格子状の四周面の下部が落ち葉などのゴミで覆われても、突き出した補助桟２ｂと横桟３と縦桟２とゴミとの間に生じた隙間から雨水が流入して排水を確保できる利点がある。
【００４４】
図９は本発明の更に他の実施形態に係る樋用ゴミ除けカバーの取付構造を示す断面図、図１０はゴミ除けカバーを外した樋の落し口部分を示す斜視図である。
【００４５】
この取付構造は、図９、図１０に示すように、樋用ゴミ除けカバー１を樋９の落し口９ａに被せて落し口９ａを覆い、その落し口９ａの周囲に設けられた係合爪１１にゴミ除けカバー１の下端の横桟３ａを下方から係合させ、ゴミ除けカバー１の縦桟２の相互間に係合爪１１を位置させている。
【００４６】
係合爪１１は、落し口９ａ上端の方形フランジ部９ｅの二辺（樋９の両側壁と平行な二辺）に２個ずつ、合計４個形成されている。この係合爪１１は直角三角形の形状を有するもので、その斜面１１ａが外側となるように相対向して形成されている。そして、この相対向する係合爪１１，１１の斜面１１ａ，１１ａの上端間の間隔は、ゴミ除けカバー１の下端の左右の横桟３ａ，３ａの間隔と同じか若干狭くなっており、斜面１１ａ，１１ａの下端間の間隔は、ゴミ除けカバー１の左右の横桟３ａ，３ａの間隔よりも広くなっている。それぞれの係合爪１１は方形フランジ部９ｅから外側へ半分ほどはみ出すように形成されており、このはみ出した係合爪１１と樋９の底面９ｂとの間の隙間、即ち、方形フランジ部９ｅの厚さｔに相当する隙間に、ゴミ除けカバー１の下端の横桟３ａが嵌まり込むようになっている。
【００４７】
この取付構造は、上記のように係合爪１１が形成された落し口９ａの上からゴミ除けカバー１を被せて押さえることにより、ゴミ除けカバー１の下端の左右の横桟３ａ，３ａを、相対向する係合爪１１，１１の斜面１１ａ，１１ａに沿わせて外側へ拡開しながら下降させ、係合爪１１，１１を越えて樋９の底面９ｂに達したときに、左右の横桟３ａ，３ａを弾性的に元の状態に復元させて係合爪１１，１１と樋９の底面９ｂとの隙間に横桟３ａ，３ａを嵌め込み、下方から横桟３ａ，３ａを係合爪１１，１１に係合させると共に、ゴミ除けカバー１の縦桟２の相互間に係合爪１１，１１を位置させて、ゴミ除けカバー１を取付けたものである。
【００４８】
このような取付構造にすると、ゴミ除けカバー１を樋９の落し口９ａに被せて押さえるだけで極く簡単にワンタッチで取付けることができ、しかも、樋９の落し口９ａに被せたゴミ除けカバー１の下端の左右の横桟３ａ，３ａが相対向する係合爪１１，１１に下方から係合するため、ゴミ除けカバー１が上方に外れる心配がなく、且つ、ゴミ除けカバー１の縦桟２の相互間に係合爪１１，１１が位置するため、ゴミ除けカバー１が移動しようとしても係合爪１１，１１が縦桟２に係合して移動が阻止される。従って、大量の雨水が樋９内を流れても、ゴミ除けカバー１が外れて流されないように確実に取付けることができる。
【００４９】
以上、代表的な実施形態を挙げて本発明の樋用ゴミ除けカバーとその取付構造を説明したが、本発明はこれらの実施形態のみに限定されるものではなく、例えば上記の弓なりに突き出した縦桟２ａと補助桟２ｂを併せ持つカバーにする等、種々の変更を許容し得るものである。
【図面の簡単な説明】
【００５０】
【図１】本発明の一実施形態に係る樋用ゴミ除けカバーの斜視図である。
【図２】本発明の一実施形態に係る樋用ゴミ除けカバーの取付構造を示す概略正面図である。
【図３】同取付構造の斜視図である。
【図４】同取付構造の断面図である。
【図５】同取付構造に用いるカバー押さえ具の斜視図である。
【図６】同取付構造のゴミ除けカバーにカバー押さえ具を載置したところを示す斜視図である。
【図７】本発明の他の実施形態に係る樋用ゴミ除けカバーの斜視図である。
【図８】本発明の更に他の実施形態に係る樋用ゴミ除けカバーの斜視図である。
【図９】本発明の更に他の実施形態に係る樋用ゴミ除けカバーの取付構造を示す断面図である。
【図１０】ゴミ除けカバーを外した樋の落し口部分を示す斜視図である。
【図１１】従来のゴミ除け部材の斜視図である。
【図１２】従来の落ち葉防止軒樋用補助材の斜視図である。
【符号の説明】
【００５１】
１    樋用ゴミ除けカバー
２    四周面の縦桟
２ａ  補助桟
３    四周面の横桟
３ａ  下端の横桟
４，７  格子目
５    上面の長手方向の桟
６    上面の幅方向の桟
８    下面開口部
９    樋（軒樋）
９ａ  落し口
９ｂ  樋の底面
９ｃ，９ｄ  耳部
９ｅ  落し口のフランジ部
１０  カバー押さえ具
１０ａ  押さえ板
１０ｂ，１０ｃ  傾斜板
１０ｆ，１０ｇ  係止部
１０ｈ  通水口
１０ｉ  係合片
１１  係合爪
【図１】
2005336747.tif 000003
【図２】
2005336747.tif 000004
【図３】
2005336747.tif 000005
【図４】
2005336747.tif 000006
【図５】
2005336747.tif 000007
【図６】
2005336747.tif 000008
【図７】
2005336747.tif 000009
【図８】
2005336747.tif 000010
【図９】
2005336747.tif 000011
【図１０】
2005336747.tif 000012
【図１１】
2005336747.tif 000013
【図１２】
2005336747.tif 000014